(57)【特許請求の範囲】
【請求項１】
湯水通路形成本体と、湯水通路形成補助体と、２つの湯水流路切替弁とからなり、湯水通路形成本体は、有底短円筒形状であって内面部に２つの湯水通路が分離形成され、且つこの２つの湯水通路の一端は湯水通路形成本体の外周部側に開口形成され、且つこの各開口の近傍には各湯水通路に連通する夫々の分岐通路が形成され、且つ各分岐通路に連通する孔が湯水通路形成本体の前面部に夫々形成され、更にこの２つの湯水通路の各他端は湯水通路形成本体の中央部側で閉塞形成されており、
湯水通路形成補助体は蓋体部と筒部とからなり、蓋体部は湯水通路形成本体の内面部に係合でき、且つ上記の湯水通路形成本体の２つの湯水通路及び２つの分岐通路に合致する２つの湯水通路及び２つの分岐通路を有し、且つ蓋体部の２つの湯水通路の各一端は湯水通路形成本体の各開口に合致する位置に開口形成されており、更に筒部は上記の蓋体部の裏面中央に立設されて湯水通路形成本体の一方の湯水通路に連通し，且つ該筒部の周囲には湯水通路形成本体の他方の湯水通路に連通する湯水通路口が形成されており、
２つの湯水流路切替弁は、湯水通路形成補助体の蓋体部の外周部側に形成した各開口の近傍に夫々揺動自在に枢着され、湯水通路形成本体の内面部に湯水通路形成補助体の蓋体部を係合させたときに合致する湯水通路形成本体及び湯水通路形成補助体の開口を、湯水流路切替弁によって閉塞した時は、該開口に連通する湯水通路と該湯水通路の近傍の分岐通路とが湯水流路切替弁を介して連通し、湯水流路切替弁によって湯水通路形成本体及び湯水通路形成補助体の開口を開放した時は該開口に連通する湯水通路と該湯水通路に連通する分岐通路とが該湯水流路切替弁によって閉塞されるようにした構成を特徴とする湯水通路分離形成具。
【発明の詳細な説明】
【０００１】
【発明の属する技術分野】
本発明は、浴槽と給湯装置との間で湯水を強制循環させるために、浴槽の側面部に穿設した孔に取り付ける湯水循環接続金具に内蔵される湯水通路分離形成具に関するものである。
【０００２】
【従来の技術】
一般に各家庭等に設置されている浴槽１０１（図１５参照）には、例えば屋外に設置した給湯装置１０２と、室内に設置した浴槽１０１との間で湯水を強制循環させるため、浴槽１０１の側面部１０３に穿設した孔１０４に湯水循環接続金具１０５を取り付け、この湯水循環接続金具１０５に湯水往路用接続管１０６並びに湯水復路用接続管１０７及び延長接続管１０８、１０９を接続し、さらにこの延長接続管１０８、１０９を給湯装置１０２に接続して給湯装置１０２と浴槽１０１とを繋いでいる。
【０００３】
そして給湯装置１０２に内蔵された循環ポンプ（図示せず）を作動させることによって、浴槽１０１内の湯水は、湯水往路用接続管１０６と延長接続管１０８、並びに湯水復路接続管１０７と延長接続管１０９を介して給湯装置１０２との間で強制循環され、循環される湯水は給湯装置１０２内の燃焼部（図示せず）で加熱されている。
【０００４】
上記した湯水循環接続金具１０５は、浴槽内に臨む部分にフイルターキャップ１１０を有している。このフイルターキャップ１１０の外周面には、２つのフイルター孔１１１（片側図示せず）が形成されていて、一方のフイルター孔１１１ａから浴槽内の湯水を吸引して給湯装置１０２側に戻し、もう一方のフイルター孔（図示せず）、及びフイルターキャップ１１０の前面部に設けたフイルター孔１１２から浴槽内に、給湯装置１０２側の湯水を吐出している。
【０００５】
【発明が解決しようとする課題】
ところが、上記のような従来の湯水循環接続金具１０５では、該湯水循環接続金具１０５の湯水の吐出口にフイルター孔が設けられているため、湯水に含まれる塵や湯垢が湯水循環接続金具１０５の内側からフイルター１１３に付着し、湯水の吐出口（フイルター孔）での圧力損失を大きくしてしまう要因になっていた。また、フイルターキャップ１１０の前面部のフイルター孔１１２からも熱い湯が吐出される構造であったため、フイルターキャップ１１０の傍で入浴するのを意識的に避けねばならなかった。
【０００６】
本発明は前記のような点に鑑みて開発されたものであり、その目的とするところは、入浴者の身体に熱い湯が直接当るのを回避できるとともに、浴槽内への湯水の吐出口での圧力損失を低減することができるようにした湯水通路分離形成具を提供することにある。
【０００７】
【課題を解決するための手段】
本発明は前記目的を有効に達成するために、次のような構成にしてある。すなわち、本発明の湯水通路分離形成具は、湯水通路形成本体と、湯水通路形成補助体と、２つの湯水流路切替弁とからなり、湯水通路形成本体は、有底短円筒形状であって内面部に２つの湯水通路が分離形成され、且つこの２つの湯水通路の一端は湯水通路形成本体の外周部側に開口形成され、且つこの各開口の近傍には各湯水通路に連通する夫々の分岐通路が形成され、且つ各分岐通路に連通する孔が湯水通路形成本体の前面部に夫々形成され、更にこの２つの湯水通路の各他端は湯水通路形成本体の中央部側で閉塞形成されており、湯水通路形成補助体は蓋体部と筒部とからなり、蓋体部は湯水通路形成本体の内面部に係合でき、且つ上記の湯水通路形成本体の２つの湯水通路及び２つの分岐通路に合致する２つの湯水通路及び２つの分岐通路を有し、且つ蓋体部の２つの湯水通路の各一端は湯水通路形成本体の各開口に合致する位置に開口形成されており、更に筒部は上記の蓋体部の裏面中央に立設されて湯水通路形成本体の一方の湯水通路に連通し，且つ該筒部の周囲には湯水通路形成本体の他方の湯水通路に連通する湯水通路口が形成されており、２つの湯水流路切替弁は、湯水通路形成補助体の蓋体部の外周部側に形成した各開口の近傍に夫々揺動自在に枢着され、湯水通路形成本体の内面部に湯水通路形成補助体の蓋体部を係合させたときに合致する湯水通路形成本体及び湯水通路形成補助体の開口を、湯水流路切替弁によって閉塞した時は、該開口に連通する湯水通路と該湯水通路の近傍の分岐通路とが湯水流路切替弁を介して連通し、湯水流路切替弁によって湯水通路形成本体及び湯水通路形成補助体の開口を開放した時は該開口に連通する湯水通路と該湯水通路に連通する分岐通路とが該湯水流路切替弁によって閉塞されるようにした構成にしてある。
【０００８】
【発明の実施の形態】
本発明の実施の形態を添付の図に基づいて説明する。
図１に示すように本発明に係る一例の湯水通路分離形成具１は、湯水通路形成本体２と、湯水通路形成補助体３と、２つの湯水流路切替弁４，５によって構成されている。
【０００９】
湯水通路形成本体２は、図１〜図３に示すように合成樹脂によって一体的に形成された有底短円筒形状のものであって、内面部６（図３参照）には２つの湯水通路７，８が分離形成され、一方の湯水通路７は湯水往路用通路７ａとして使用され、他方の湯水通路８は湯水復路用通路８ａとして使用される。勿論、湯水通路７を湯水復路用通路として使用し、湯水通路８を湯水往路用通路として使用してもよい。
【００１０】
上記した２つの湯水通路７，８の一端は、湯水通路形成本体２の外周部側９に位置し、夫々の開口７ｂ，８ｂを形成してある。この一方の開口７ｂの近傍には、分岐路口１０ａを介して湯水通路７に連通する分岐通路１０が形成され、もう一方の開口８ｂの近傍には、分岐路口１１ａを介して湯水通路８に連通する分岐通路１１が形成されている。更にこの分岐通路１０に連通する孔１０ｂと、分岐通路１１に連通する孔１１ｂとが、夫々湯水通路形成本体２の前面部１２に形成してある。
【００１１】
また、２つの湯水通路７，８は、夫々湯水通路形成本体２の中央に導くように形成され、一方の湯水通路７の他端７ｃは湯水通路形成本体２の中央（中心位置）で閉塞形成され、もう一方の湯水通路８の他端８ｃは、湯水通路７の他端７ｃ近傍に隣接するようにして閉塞形成されている。
【００１２】
１７は湯水通路形成本体２の外周近傍の３箇所に等間隔に形成された貫通孔であって、この貫通孔１７は湯水通路形成本体２と後述する中間通路接続具１８（図８参照）とをネジ２７で連結するためのネジ２７用の孔である。
【００１３】
湯水通路形成補助体３（図１、図４、図５参照）は、蓋体部１９と筒部２０とからなる。蓋体部１９は、湯水通路形成本体２の内面部６に係合して湯水通路形成本体２の２つの湯水通路７，８及び２つの分岐通路１０，１１を覆うことができる有底短小円筒形状のものである。
【００１４】
この蓋体部１９の前面部１９ａには、この前面部１９ａを湯水通路形成本体２の内面部６に係合させたとき、湯水通路形成本体２の内面部６に形成した２つの湯水通路７，８に合致する２つの湯水通路２１，２２と、２つの分岐通路１０，１１に合致する２つの分岐通路２３，２４が形成されている。湯水通路２１は湯水往路用通路２１ａとして使用され、他方の湯水通路２２は湯水復路用通路２２ａとして使用される。勿論、湯水通路形成本体２に形成した２つの揚水通路７，８と同様に、湯水通路２１を湯水復路用通路として使用し、湯水通路２２を湯水往路用通路として使用してもよい。
【００１５】
また、蓋体部１９の各湯水通路２１，２２の一端は外周部側に位置し、この外周部側に湯水通路形成本体２の夫々の開口７ｂ，８ｂに対応する開口２１ｂ，２２ｂが形成してある。
【００１６】
蓋体部１９の各開口２１ｂ，２２ｂの傍には、夫々の湯水流路切替弁４，５を揺動自在に係止するための係止孔１３，１４が形成され、この各係止孔１３，１４の近傍には各湯水流路切替弁４，５の移動を阻止するストッパー部１５，１６が形成されている。
【００１７】
更にこの蓋体部１９には、湯水通路形成本体２の内面部６に係合させた時、湯水通路形成本体２の一方の湯水通路８の他端８ｃ近傍の通路部２５（図３参照）に連通する湯水通路口２６が、筒部２０の傍の周囲に貫通形成されている。
【００１８】
また筒部２０（図５参照）は、蓋体部１９の中央から後方に突出するように形成されていて、蓋体部１９の前面部１９ａを湯水通路形成本体２の内面部６に係合させた時（図８参照）、筒部２０の内側通路部２０ａが湯水通路形成本体２の湯水通路７に連通するようにしてある。
【００１９】
次ぎに湯水流路切替弁４，５（図６、図７参照）は、円弧状の筒状体２９，３０と、この筒状体２９の小径内壁部２９ａ，３０ａから鉤状に突出形成された係止片３１，３２とからなる。
【００２０】
湯水流路切替弁４，５の各筒状体２９，３０は、一端部２９ｂ，３０ｂを開放形成するとともに他端部２９ｃ，３０ｃを閉塞形成してある。更に各筒状体２９，３０の他端部２９ｃ，３０ｃ寄りの大径外壁部２９ｄ，３０ｄには、湯水流通孔２９ｅ，３０ｅが形成されている。
【００２１】
この湯水流路切替弁４，５は、係止片３１，３２を湯水通路形成補助体３の係止孔１３，１４（図４参照）に係合させて、湯水流路切替弁４，５を湯水通路２１、２２の内外方向に揺動して、各開口２１ｂ、２２ｂを開閉できるようにしてある。この湯水流路切替弁４，５は、同時に湯水通路形成本体２の各開口７ｂ、８ｂも開閉する。
【００２２】
上記のような構成からなる各湯水流路切替弁４，５を取り付けた湯水通路形成補助体３の蓋体部１９の前面部１９ａと、湯水通路形成本体２の内面部６（図  ４参照）とを対峙させて係合させることによって、本発明に係る湯水通路分離形成具１は構成される。
【００２３】
そしてこの湯水通路分離形成具１は、図９に示すような他の部品３４、１８、４５、４６とともに図示の順に組み合わせて湯水循環接続金具３３として使用される。
【００２４】
此処で上記の他の部品３４、１８、４５、４６を説明すると、先ず３４はフイルターキャップであって、このフイルターキャップ３４は有底短円筒状であって外周部の２か所に切欠孔３５（片側図示せず）が形成してあり、前面にはフイルター３６で被覆した多数の湯水用孔３７が形成されている。このフイルターキャップ３４は、湯水通路形成本体２の前面部１２側から該湯水通路形成本体２に嵌着される。この時、各切欠孔３５（片側図示せず）は、湯水通路形成本体２の各開口７ｂ、８ｂ及び湯水通路形成補助体３の各開口２１ｂ、２２ｂに一致するように形成してある。
【００２５】
中間通路接続具１８は、鍔部３８と筒部３９とからなり、鍔部３８には所定間隔を以て複数の凸部４０が形成されている。各凸部４０にはネジ孔４１が形成され、また、筒部３９の外周面には雄ねじ部４２が形成されている。この中間通路接続具１８は、図８に示すように湯水通路分離形成具１の後部側から湯水通路形成補助体３に係合させることにより、湯水通路形成補助体３の蓋体部１９は中間通路接続具１８の多数の凸部４０の内側に位置する。この時、中間通路接続具１８の筒部３９内の通路４３は、湯水通路形成補助体３の筒部２０によって２つの通路に分離され、一方の通路は筒部２０と筒部３９との間にできる湯水通路４４であり、もう一方の通路は筒部２０内の内側通路部２０ａである。この中間通路接続具１８は、湯水通路形成補助体３を介しネジ２７（図８参照）で湯水通路形成本体２に固定される。ネジ２７は中間通路接続具１８の所定の凸部４０のネジ孔４１に螺着される。
【００２６】
また、循環口ボディー４６は、大径筒部４８と円筒部４９と湯水接続管５０及び湯水接続管５２とからなる。大径筒部４８は内周面に雌ねじ部４７を形成してあり、中間通路接続具１８の筒部３９の雄ねじ部４２と螺合できるようにしてある。円筒部４９は、湯水通路分離形成具１の湯水通路形成補助体３の筒部２０を挿着できるように形成してある。この円筒部４９内に連通するするようにして循環口ボディー４６の後部には湯水接続管５０が接続されている。また、大径筒部４８と円筒部４９との隙間のボディー通路５１に連通するようにして循環口ボディー４６の後部には湯水接続管５２が接続されている。各湯水接続管５０、５２は各延長接続管（図示せず）を介して給湯装置（図示せず）に接続される。
【００２７】
上記のようにして他の部品と組み合わされた図８に示す状態の本発明に係る湯水通路分離形成具１は、浴槽の側面部に穿設した孔の箇所に浴槽内から配されるとともに、浴槽外に配した循環口ボディー４６（図９参照）と接続される。
【００２８】
前記のようにして浴槽に取り付けられた湯水循環接続金具３３は、各延長接続管（図示せず）を介して給湯装置（図示せず）との間で湯水を強制循環させた場合、本発明に係る湯水通路分離形成具１の各湯水流路切替弁４，５は、図１０〜図１３に示すように作動する。
【００２９】
各湯水流路切替弁４，５の作動を次ぎに説明する。尚、湯水通路分離形成具１に形成した湯水通路７，２１を湯水往路用通路７ａ，２１ａとし、湯水通路８，２２は湯水復路用通路８ａ，２２ａとして使用した場合について説明する。
また、説明の混乱を避けるため、湯水通路分離形成具１内の湯水の流れは、湯水通路形成補助体３における流れを以て説明し、湯水通路形成補助体３と対峙する湯水通路形成本体２における湯水の流れは、湯水通路形成補助体３における流れと殆ど同じであるので説明を省略する。更に湯水流路切替弁４，５の作動の説明も、湯水通路形成補助体３での動作を以て説明し、湯水通路形成本体２側での湯水流路切替弁４，５の作動の説明は省略する。
【００３０】
先ず給湯装置（図示せず）で加熱された湯水は、ポンプ（図示せず）によって各延長接続管（図示せず）、湯水接続管（図示せず）を介して循環口ボディー４６（図９参照）の円筒部４９内を通り、湯水通路形成補助体３の筒部２０の内側通路部２０ａに流入してくる。
【００３１】
この内側通路部２０ａに入った湯水は、湯水通路分離形成具１の湯水通路７２１ａを通って湯水流路切替弁４の筒状体２９内（図１０参照）に流入し、この筒状体２９の他端部２９ｃを内側から水圧によって押す。このことにより湯水流路切替弁４は、図１１に示す状態から図１０に示す状態のように外側に移動し、ストッパー部１５に当たって停止する。この湯水流路切替弁４の作動によって分岐路口１０ａを介して分岐通路２３と連通する位置にあった湯水流路切替弁４の湯水流通孔２９ｅは、開口２１ｂの外側まで移動する。そして湯水通路２１ａ内の湯水は、この湯水流路切替弁４の湯水流通孔２９ｅを通り、フイルターキャップ３４の一方の切欠孔３５（図９参照）を介して浴槽内に吐出される。
【００３２】
一方、湯水通路２１ａと連通する分岐路口２３は、湯水流路切替弁４のの開口２１ｂの外側への移動に伴って、湯水流路切替弁４の大径外壁部２９ｄによって閉塞される。したがって、湯水通路２１ａ内の湯水が分岐通路２３から湯水通路形成本体２（図２，図３参照）の孔１０ｂを通ってフイルターキャップ３４（図９参照）の前面の湯水用孔３７（図９参照）から吐出するのを阻止することができる。
【００３３】
また、上記のような状態の時、もう一方の湯水流路切替弁５は、図１３に示す状態から図１２に示す状態に作動する。この場合、給湯装置（図示せず）のポンプによって浴槽内の湯水は給湯装置側に戻される。
【００３４】
すなわち、給湯装置（図示せず）のポンプ（図示せず）の吸引作用による湯水の流れによって、湯水流路切替弁５は開口２２ｂから湯水通路２２ａの内側に移動する（図１３→図１２）。このことにより、図１２に示すように開口２２ｂは湯水流路切替弁５の端部３０ｃによって閉塞されるとともに、湯水流路切替弁５の湯水流通孔３０ｅが分岐路口２４ａに移動し、分岐通路２４と湯水通路２２ａとを連通させる。
【００３５】
上記の湯水流路切替弁５の動作により浴槽内からの戻り湯水は、フイルターキャップ３４（図９参照）の湯水用孔３７からフイルター３６、湯水通路形成本体２の孔１１ｂを介して湯水通路形成補助体３の分岐通路２４に入り、通路形成補助体３の湯水通路２２ａを通り、湯水通路口２６を通って中間通路接続具１８（図８参照）の湯水通路４４に導かれ、更に循環口ボディー４６（図９参照）のボディー通路５１から湯水接続管５２、延長接続管（図示せず）を通って給湯装置側に戻される。
【００３６】
このように通路形成補助体３に取り付けた両湯水流路切替弁４，５は、給湯装置（図示せず）のポンプ（図示せず）によって浴槽内と給湯装置との間を往復動する湯水の作用によって移動し、フイルターキャップ３４の孔３７（図９参照）から熱い湯水が吹き出すこともなく湯水を循環させることができる。また、フイルターキャップ３４の切欠孔３５がフイルターのない開口状態であっても、湯水流路切替弁５の端部３０ｃが通路形成補助体３の開口２２ｂ（及び湯水通路形成本体２の開口８ｂ）を閉塞するので、湯垢や塵が湯水通路２２ａ内に入ろうとするのを阻止することができる。
【００３７】
図１４は湯水流路切替弁４の大径外壁部２９ｄの先端に永久磁石５５を取り付け、この永久磁石５５と磁着する通路形成補助体３のの位置に永久磁石５６を取り付けた例の説明図である。水圧によって湯水流路切替弁４が湯水通路２１内に入り込んだ時、永久磁石５５，５６同士が磁着して、該湯水流路切替弁４を図示の位置に確実に保持することができる。
【００３８】
また、湯水が湯水通路２１ａ内から開口２１ｂを通って吐出される場合は、この湯水の水圧が永久磁石５５，５６同士の磁力に抗して湯水流路切替弁４を開口２１ｂの外側に移動させ、開口２１ｂの位置に孔２９ｅが位置して開口２１ｂを開放することができる。この時、分岐路口２３ａは大径外壁部２９ｄによって閉塞される。
【００３９】
また、上記と同様にして、湯水流路切替弁５側にも上記と同様に永久磁石５５、５６を設けることによって、湯水流路切替弁５は上記したように湯水流路切替弁４と同様の作用・効果を得ることができる。
【００４０】
【発明の効果】
以上、上述のように本発明の湯水通路分離形成具では、この湯水通路分離形成具を内蔵した湯水循環接続金具を浴槽の側面部に穿設した孔の箇所に取り付け、この湯水循環接続金具と接続した燃焼装置によって湯水を浴槽との間で強制循環させながら沸かすことにより、湯水通路形成補助体の２つの湯水通路の各開口に設けた各湯水流路切替弁が湯水の流れによって自然に作動して湯水の流れる通路を切替えることができる。そのため、湯水通路分離形成具の前面部から熱い湯水が浴槽内に吐出されるのを防止することができる。
【００４１】
また、塵等の湯水通路分離形成具への流入も各湯水流路切替弁によって阻止することができ、塵等によって湯水通路分離形成具内の湯水通路の圧力損失に悪影響を及ぼすといったことを防止することができる。また、フイルターキャップの外周面のフイルター孔にはフイルターを取り付けなくとも、上記のように塵等が湯水通路分離形成具へ流入するのを湯水流路切替弁によって阻止できる。したがって、フイルターキャップを湯水通路分離形成具に嵌着した状態でも、フイルターキャップの外周面のフイルター孔（この場合は単なる孔）から内部をチェックすることができる。
【図面の簡単な説明】
【図１】本発明に係る湯水通路分離形成具の分解斜視図である。
【図２】湯水通路形成本体の平面図である。
【図３】湯水通路形成本体の裏面図である。
【図４】湯水通路形成補助体の正面図である。
【図５】湯水通路形成補助体の縦断面図である。
【図６】湯水流路切替弁４の斜視図である。
【図７】湯水流路切替弁５の斜視図である。
【図８】湯水通路分離形成具と他の部品とを組み合わせた縦断面である。
【図９】本発明に係る湯水通路分離形成具を内蔵する一例の湯水循環接続金具の分解斜視図である。
【図１０】本発明の要部である湯水流路切替弁４の動作を示す説明図である。
【図１１】本発明の要部である湯水流路切替弁４の動作を示す説明図である。
【図１２】本発明の要部である湯水流路切替弁５の動作を示す説明図である。
【図１３】本発明の要部である湯水流路切替弁５の動作を示す説明図である。
【図１４】本発明の要部である他の例の湯水流路切替弁の説明図である。
【図１５】浴槽に湯水循環接続金具を取り付けた使用状態を示す説明図である。
【符号の説明】
１  湯水通路分離形成具
２  湯水通路形成本体
３  湯水通路形成補助体
４  湯水流路切替弁
５  湯水流路切替弁
６  内面部
７（７ａ）湯水通路
８（８ａ）湯水通路
７ｂ  開口
８ｂ  開口
９  湯水通路形成本体の外周部側
１０  湯水通路形成本体の分岐通路
１０ｂ  分岐通路に連通する孔
１１  湯水通路形成本体の分岐通路
１１ｂ  分岐通路に連通する孔
１２  湯水通路形成本体の前面部
１９  蓋体部
２０  筒部
２１（２１ａ）湯水通路形成補助体の湯水通路
２２（２２ａ）湯水通路形成補助体の湯水通路
２１ｂ  開口
２２ｂ  開口
２３  湯水通路形成補助体の分岐通路
２４  湯水通路形成補助体の分岐通路
２６  湯水通路口
【図１】
0003761284.tif 000002
【図２】
0003761284.tif 000003
【図３】
0003761284.tif 000004
【図４】
0003761284.tif 000005
【図５】
0003761284.tif 000006
【図６】
0003761284.tif 000007
【図７】
0003761284.tif 000008
【図８】
0003761284.tif 000009
【図９】
0003761284.tif 000010
【図１０】
0003761284.tif 000011
【図１１】
0003761284.tif 000012
【図１２】
0003761284.tif 000013
【図１３】
0003761284.tif 000014
【図１４】
0003761284.tif 000015
【図１５】
0003761284.tif 000016